(57)【要約】【課題】ガスの発生時に内圧が上昇しても、圧力容器が破断しないようにする。【解決手段】ベース２ｃにアダプター２ｂ及びディフューザ２ａを接合して一体化する圧力容器２内に、少なくとも前記アダプター２ｂに支持される点火器３と、ガス発生剤５と、前記圧力容器２の側壁部内周側に沿って配置されるフィルター６を内装するエアバッグ用インフレータ１である。前記アダプター２ｂは、前記ベース２ｃとの接合部Ｙ2の近傍に鍔部を備える。前記鍔部の外周端部とベース２ｃとの間に隙間を設ける。或は、前記鍔部の外周端部を面取り形状又はＲ形状に形成し、当該鍔部の外周端部とベースとが当接するようにする。【効果】内圧が上昇して圧力容器が変形する時にベースの変形量が大きくなって、ベースに発生する応力集中を抑制でき、圧力容器の破断を防止することができる。【選択図】図２
2010195230.tif 000002
【特許請求の範囲】
【請求項１】
ベースにアダプター及びディフューザを接合して一体化する圧力容器内に、少なくとも前記アダプターに支持される点火器と、ガス発生剤と、前記圧力容器の側壁部内周側に沿って配置されるフィルターを内装するエアバッグ用インフレータであって、
前記アダプターは、前記ベースとの接合部の近傍に鍔部を備え、
前記鍔部の外周端部とベースとの間に隙間を設けることを特徴とするエアバッグ用インフレータ。
【請求項２】
ベースにアダプター及びディフューザを接合して一体化する圧力容器内に、少なくとも前記アダプターに支持される点火器と、ガス発生剤と、前記圧力容器の側壁部内周側に沿って配置されるフィルターを内装するエアバッグ用インフレータであって、
前記アダプターは、前記ベースとの接合部の近傍に鍔部を備え、
前記鍔部の外周端部に面取り形状又はＲ形状を形成し、当該面取り形状又はＲ形状を除く鍔部の外周端部とベースとが当接するようにしていることを特徴とするエアバッグ用インフレータ。
【発明の詳細な説明】
【技術分野】
【０００１】
本発明は、安全装置として自動車に設置されるエアバッグに供給するガスを発生するインフレータに関するものである。
【背景技術】
【０００２】
エアバッグ装置は、インフレータで発生したガスによりエアバッグを展開させることで、衝突の際の衝撃から乗員を保護するものである。
【０００３】
図７はシングルステージタイプのインフレータ１の構造の一例を説明する断面図で、例えば以下のように構成されている。２はディフューザ２ａとアダプター２ｂとベース２ｃからなる圧力容器で、衝突検知信号によって作動する点火器３と、点火器３の着火エネルギーを瞬時に増幅する着火薬４と、瞬時に大量のガスを発生するガス発生剤５を内装している。
【０００４】
衝突時は、点火器３により着火薬４を介してガス発生剤５が着火され、発生したガスがディフューザ２ａの側壁に設けられたガス噴出孔２ａａから噴出してエアバッグを展開させる。その際、圧力容器２の側壁部内周側に沿って配置されたフィルター６によって、ガスに含まれる固形残渣の収集と、ガスの冷却を行っている（特許文献１）。
【０００５】
なお、図７中の７は、ディフューザ２ａをベース２ｃに接合する時に、ガス発生剤４のこぼれを阻止し、インフレータ１の作動時にフィルター６の上端からガスが漏れるのを防ぐ中蓋である。
【先行技術文献】
【特許文献】
【０００６】
【特許文献１】特開平１０−２９４９３号公報
【発明の概要】
【発明が解決しようとする課題】
【０００７】
前記インフレータ１を構成する圧力容器２の内部は、ガスの発生時には高圧になるので、この高圧に耐えることができる強度を有する材料や、形状が求められる。
【０００８】
ところで、前記圧力容器２を構成するディフューザ２ａとベース２ｃは摩擦圧接により、アダプター２ｂとベース２ｃは電気抵抗溶接により接合されている。図１０は、アダプター２ｂとベース２ｃの電気抵抗溶接部分（以下、接合部という。）Ｙ2の周辺の拡大図を示す。アダプター２ｂとベース２ｃとで囲まれた断面略四角の空間部２ｄは、前記の電気抵抗溶接時に溶けた材料の一部が逃げてこの空間部２ｄ内に留まるようにする為に設けられている。この空間部２ｄは、溶けた材料がインフレータ内部に飛散し、異物としてインフレータ内部に入り込むことを防ぐ等の為に必要である。
【０００９】
この圧力容器２は、ガスの発生によって内圧が上昇すると、図８（ａ）に示すガス発生前の形状から、図８（ｂ）に示すようにディフューザ２ａとベース２ｃが膨張する。従来タイプより高い圧力のインフレータガスを発生させるものになると、場合によっては破裂するおそれがあることが分かった。
【００１０】
圧力容器２が破断する場合の破断箇所Ｓは、発明者らの調査の結果、ディフューザ２ａとベース２ｃの接合部Ｙ1やアダプター２ｂとベース２ｃの接合部Ｙ2ではなく、アダプター２ｂとベース２ｃの接合部Ｙ2の外周部近傍であることが判明した（図９参照）。
【００１１】
つまり、従来の圧力容器２の場合、圧力容器２の内部から従来よりも高いガスの膨張圧力が加わると、アダプター２ｂとベース２ｃの接合部Ｙ2の外周部近傍の接触部Ｃが支点となって、図１０に２点鎖線で示すようにベース２ｃが変形する。この変形部に応力が集中して破断するものと推測される。
【００１２】
圧力容器が破断すると、破断箇所からガスが流出してインフレータのガス噴出孔から噴出するガス量が減少し、エアバッグが必要とする性能を十分に発揮できなくなる。
【００１３】
本発明が解決しようとする問題点は、従来のインフレータの場合、ガスの発生時に内圧が上昇すると、アダプターとベースとの接合部の外周部近傍の接触部が支点となってベースが変形し、この変形部に応力が集中して破断する場合があるという点である。
【課題を解決するための手段】
【００１４】
本発明のエアバッグ用インフレータは、
ガスの発生時に内圧が上昇しても、圧力容器が破断しないようにするために、
ベースにアダプター及びディフューザを接合して一体化する圧力容器内に、少なくとも前記アダプターに支持される点火器と、ガス発生剤と、前記圧力容器の側壁部内周側に沿って配置されるフィルターを内装するエアバッグ用インフレータであって、
前記アダプターは、前記ベースとの接合部の近傍に鍔部を備え、
(1)前記鍔部の外周端部とベースとの間に隙間を設けるか、
或いは、
(2)前記鍔部の外周端部に面取り形状又はＲ形状を形成し、当該面取り形状又はＲ形状を除く鍔部の外周端部とベースとが当接するようにしている、
ことを最も主要な特徴としている。
【００１５】
すなわち、本発明のインフレータは、アダプターの、ベースとの接合部近傍に設けた鍔部の外周端部とベース間に隙間を設けるか、前記鍔部の外周端部に面取り形状又はＲ形状を形成し、当該面取り形状又はＲ形状を除く鍔部外周端部をベースに当接させるのである。
【００１６】
このような構成を採用することにより、従来構造と比較して、図１に示すように、ベース２ｃの変形量（２点鎖線で示される部分）を大きくでき、変形時の応力集中を抑制できるようになって、圧力容器２の破断を防止することができる。
【発明の効果】
【００１７】
本発明では、アダプターの、ベースとの接合部近傍に設けた鍔部の外周端部とベース間に隙間を設けるか、前記鍔部の外周端部に面取り形状又はＲ形状を形成し、当該面取り形状又はＲ形状を除く鍔部外周端部をベースに当接させる。
【００１８】
従って、内圧が上昇して圧力容器が変形する時にベースの変形量が大きくなって、ベースに発生する応力集中を抑制でき、圧力容器の破断を防止することができる。
【図面の簡単な説明】
【００１９】
【図１】本発明のベースとアダプターの接合部近傍断面を拡大して示した図である。
【図２】本発明のインフレータの構成要素であるベースとアダプターの接合部近傍断面を拡大して示した図で、（ａ）は前記接合部近傍に設けた鍔部の外周端部を面取り形状に形成した場合、（ｂ）は前記接合部近傍に設けた鍔部の外周端部とベースとの間に隙間を設けた場合、（ｃ）は前記接合部近傍に設けた鍔部の外周端部をＲ形状に形成した場合である。
【図３】図９、図１０に示した従来のアダプターを使用したシミュレーションの結果を示した図で、（ａ）はガス発生前、（ｂ）はガス発生後を示した図である。
【図４】図１に示した本発明のアダプターを使用したシミュレーションの結果を示した図で、（ａ）はガス発生前、（ｂ）はガス発生後を示した図である。
【図５】図２（ａ）に示した本発明のアダプターを使用したシミュレーションの結果を示した図で、（ａ）はガス発生前、（ｂ）はガス発生後を示した図である。
【図６】図９、図１０に示した従来のアダプターと、図１（隙間形状）、図２（ａ）（面取り形状）に示した本発明のアダプターを使用して、それぞれ３個ずつ破壊試験を実施した結果を示した図である。
【図７】シングルステージタイプのインフレータの構造を説明する断面図である。
【図８】（ａ）はインフレータの内圧上昇前の圧力容器を示した図、（ｂ）はインフレータの内圧上昇後の圧力容器を示した図である。
【図９】従来品の圧力容器において、より高い発生ガス圧による内圧上昇で破断した場合の破断箇所Ｓを説明する図である。
【図１０】従来の圧力容器において、より高い発生ガス圧により内圧が上昇した場合に、アダプターとベースの接合部の外周部近傍の接触部が支点となってベースが変形した状態（２点鎖線で示す状態）を示した図である。
【発明を実施するための最良の形態】
【００２０】
本発明では、ガス発生時の内圧上昇による圧力容器の破断防止という目的を、アダプターの、ベースとの接合部近傍に設けた鍔部の外周端部とベース間に隙間を設けることで実現した。また、前記鍔部の外周端部に面取り形状又はＲ形状を形成し、当該面取り形状又はＲ形状を除く鍔部外周端部をベースに当接させることで実現した。
【実施例】
【００２１】
以下、本発明を実施するための最良の形態について、図１〜図６を用いて説明する。
発明者らは、ガスが発生した際の内圧上昇時における圧力容器の破損を防止するためには、ベースの変形を許容できるようにすることが重要であると考えた。
【００２２】
そこで、発明者らは、ベースとアダプターの接合部における外周部近傍の接触部に着目し、図９、図１０に示した従来形状と、図１及び図２（ａ）〜（ｃ）に示した形状のアダプター２ｂについて耐圧強度のシミュレーションを行った。その結果を図３〜図５に示す。
【００２３】
図３は、ベース２ｃとの接触部Ｃにおけるアダプター２ｂの鍔部の外周側端部、すなわちアダプター２ｂの反接合部側に面取り形状やＲ形状を設けていない、図９及び１０に示す従来のアダプターを使用したシミュレーションの結果を示したものである。
【００２４】
図３（ａ）の図中、中央部略右よりに白い実線で表される部分が、アダプター２ｂとベース２ｃの接触部Ｃ付近を示す。白い実線は、縦方向に２本略平行に左側が上下方向に長く、右側が上下方向に短く設けられ、その２本の平行線の下端部に接するようにほぼ直交して横方向に設けられる。この白い実線の右側が、空間部２ｄとアダプター２ｂの主要部分を示す。白い実線の下部にベース２ｃがある。
【００２５】
この図９及び図１０に示す従来形状のアダプター２ｂを使用した場合、図３（ａ）（ｂ）に示すようなシミュレーション結果になり、ベースが破断した時のインフレータの内部圧力は８６４０psiであった。
【００２６】
これに対して、図４は、ベース２ｃとアダプター２ｂの鍔部の外周端部とが接触しないように２mmの間隔を設けた、図１に示す本発明のアダプターを使用したシミュレーションの結果を示したものである。図４（ａ）の略中央部、白い円で囲まれた部分に、アダプター２ｂの鍔部の外周端部と２mmの間隔が示されている。
【００２７】
この図１に示す形状の本発明のアダプター２ｂを使用した場合、図４（ａ）（ｂ）に示すようなシミュレーション結果になり、ベースが破断した時のインフレータの内部圧力は１０５６０psiであった。
【００２８】
また、図５は、ベース２ｃとアダプター２ｂの鍔部の外周端部との接触部Ｃにおける反接合部側に２mmの面取り形状を設けた、図２（ａ）に示す本発明の別のアダプターを使用したシミュレーションの結果を示したものである。なお、図２（ａ）中の２ｂａは面取り形状部を示し、図５（ａ）の略中央部、白い円で囲まれた部分にそれが示されている。
【００２９】
この図２（ａ）に示す形状の本発明のアダプター２ｂを使用した場合、図５（ａ）（ｂ）に示すようなシミュレーション結果になり、ベースが破断した時のインフレータの内部圧力は９４８０psiであった。
【００３０】
次に、図９、図１０に示した従来形状と、図１、図２（ａ）に示した本発明形状のアダプター２ｂを３個ずつ作成して破壊試験を実施した。その結果を図６に示す。
【００３１】
図６より明らかなように、図９、図１０に示す従来形状のインフレータは、およそ８６００〜８７００psiで破断した。
【００３２】
これに対して、ベース２ｃとアダプター２ｂの鍔部の外周端部とが接触しないように２mmの隙間を設けた、図１に示すアダプター２ｂを使用した場合、図６に示すように、約９５００psiで破断した。
【００３３】
また、ベース２ｃとアダプター２ｂの鍔部の外周端部との接触部Ｃにおける反接合部側に２mmの面取りを設けた、図１（ａ）に示すアダプター２ｂを使用した場合、図６に示すように、約９１００〜９５００psiで破断した。
【００３４】
このように、上記シミュレーションと、試験サンプルとの結果は、良く相関がとれていることが分かる。特に図１で示すアダプター２ｂの場合、破壊試験の結果のばらつきが非常に小さいものとなっており、信頼性のより高いインフレータとしてより好ましいものであることが分かる。
【００３５】
本発明は、上記のシミュレーション結果、及び破壊試験の結果に基づいてなされたもので、例えばベース２ｃとアダプター２ｂとの接合部Ｙ2の近傍で、ベース２ｃとアダプター２ｂが接触しないように隙間を設けてアダプター２ｂを形成する。或いは、ベース２ｃとアダプター２ｂが接触する場合は、当該接触部Ｙ2におけるアダプター２ｂの反接合部側を面取り形状に形成する。
【００３６】
本発明は上記の例に限らず、各請求項に記載された技術的思想の範疇に含まれるものであれば、適宜実施の形態を変更しても良いことは言うまでもない。
【００３７】
例えば、ベース２ｃとアダプター２ｂが接触する場合、当該接触部Ｙ2におけるアダプター２ｂの反接合部側に、図２（ｃ）で示すようなＲ形状２ｂｂに形成しても良い。このことは、面取りで良好な結果を受けて考察すれば、当然に予測可能であろう。
【００３８】
すなわち以上で述べたエアバッグ用インフレータは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は、説明を目的としたもので、特に限定される主旨のない限り、それに限定されるものではない。
【００３９】
例えば、ベース２ｃとアダプター２ｂとの接合部の近傍で、ベース２ｃとアダプター２ｂが接触しないような形状にベース２ｃを形成したものでもよい。また、ダブルステージタイプのインフレータ１にも適用できる。
【符号の説明】
【００４０】
１    インフレータ
２    圧力容器
２ａ    ディフューザ
２ｂ    アダプター
２ｂａ    面取り形状部
２ｂｂ    Ｒ形状部
２ｃ    ベース
３    点火器
５    ガス発生剤
６    フィルター
Ｙ2    アダプターとベースの接合部
Ｃ    アダプターとベースの接触部
【図１】
2010195230.tif 000003
【図２】
2010195230.tif 000004
【図６】
2010195230.tif 000005
【図７】
2010195230.tif 000006
【図８】
2010195230.tif 000007
【図９】
2010195230.tif 000008
【図１０】
2010195230.tif 000009
【図３】
2010195230.tif 000010
【図４】
2010195230.tif 000011
【図５】
2010195230.tif 000012